(57)【特許請求の範囲】
【請求項１】
長手方向に沿って３つの垂直方向に開口した垂直引出口とこの垂直引出口と長手方向にほぼ同一位置に３つの水平方向に開口した水平引出口が形成された円筒状母線容器と、前記円筒状母線容器内に２等辺三角形の頂点にそれぞれ位置するように配置された３相の主母線導体を有し、前記３相の主母線導体は、前記２等辺三角形の底辺が前記水平引出口とほぼ平行となるように配設されており、前記３相の主母線導体は、それぞれの主母線導体の先端が前記垂直引出口に距離の近い相の主母線導体から順に、前記円筒状母線容器の母線引込み位置から距離の近い側から遠い順に位置する前記垂直引出口の位置近傍まで延びており、前記３相の主母線導体の先端位置から分岐した母線導体を前記主母線導体の先端位置に近い前記垂直引出口と水平引出口とから引出すようにしたことを特徴とする３相一括型ガス絶縁母線。
【請求項２】
請求項１において、前記垂直引出口は前記分岐した母線導体を上方向に引出すものであることを特徴とする３相一括型ガス絶縁母線。
【発明の詳細な説明】
【０００１】
【発明の属する技術分野】
本発明はガス絶縁開閉装置に用いられる３相一括型ガス絶縁母線に関する。
【０００２】
【従来の技術】
良く知られているように、ガス絶縁開閉装置は電力系統の開閉に多く採用されている。ガス絶縁開閉装置の主母線は電力の安定供給のため２重母線方式にしている。また、主母線は相分離配置あるいは３相一括配置するようにしている。
【０００３】
主母線の３相一括配置は、絶縁ガスを封入した円筒状の母線容器に３相の主母線導体が三角形の頂点に位置するように絶縁スペーサで支持している。三角形は通常、２等辺三角形になっている。
【０００４】
ところで、ガス絶縁開閉装置においては３相一括母線から分岐母線を引出している。３相一括母線から分岐母線を引出すことについては、例えば、特開昭５５−１０３０２３号公報に記載されている。
【０００５】
３相一括母線から引出す分岐母線はガス絶縁開閉装置の機器配置構成から２方向に引出すことが必要になる。引出す２方向としては、上方向または下方向の垂直方向と水平方向がある。
【０００６】
従来、３相一括母線から２方向に分岐母線を引出すには、ガス絶縁開閉装置を小型化する観点から母線容器の大きさ（断面積）が規制され、２個の母線容器からそれぞれ一方向と他方向に引出すようにしている。
【０００７】
【発明が解決しようとする課題】
従来技術は、２個の母線容器を用いて２方向に引出すようにしているので、主母線が長くなるとともに母線容器を２個必要とするためにガス絶縁開閉装置の小型化が制限されコンパクトにできないという問題点を有する。
【０００８】
本発明は上記点に対処して成されたもので、その目的とするところは、１個の母線容器から分岐母線を２方向に引出すようにしてガス絶縁開閉装置をコンパクトにできる３相一括型ガス絶縁母線を提供することにある。
【０００９】
【課題を解決するための手段】
本発明の特徴とするところは、長手方向に沿って３つの垂直方向に開口した垂直引出口とこの垂直引出口と長手方向にほぼ同一位置に３つの水平方向に開口した水平引出口が形成された円筒状母線容器と、円筒状母線容器内に２等辺三角形の頂点にそれぞれ位置するように配置された３相の主母線導体を有し、主母線導体は、２等辺三角形の底辺が水平引出口とほぼ平行となるように配設されており、３相の主母線導体は、それぞれの主母線導体の先端が垂直引出口に距離の近い相の主母線導体から順に、円筒状母線容器の母線引込み位置から距離の近い側から遠い順に位置する垂直引出口の位置近傍まで延びており、３相の主母線導体の先端位置から分岐した母線導体を主母線導体の先端位置に近い垂直引出口と水平引出口とから引出すようにしたことにある。
【００１０】
換言すると、本発明は円筒状母線容器の長手方向に沿って形成された３つの垂直引出口（垂直引出口）の１個までは３相主母線導体が張設され、２個までは２相主母線導体、３個までは１相の主母線導体が張設され、各相の主母線導体の先端から分岐母線を引出すようにしたことにある。
【００１１】
本発明は円筒状母線容器の長手方向に沿って形成された３つの垂直引出口に近い相の主母線から順に３つの垂直引出口位置まで主母線導体を張設して、その先端位置から分岐母線を引出しているので、各相主母線導体の絶縁距離を確保した上で１個の母線容器から２方向に分岐母線を引出せるのでガス絶縁開閉装置をコンパクトにすることができる。
【００１２】
【発明の実施の形態】
本発明の一実施例を図面を用いて説明する。
図１は本発明の３相一括型ガス絶縁母線の一部を破断した上面観図であり、図２は図１のＡ矢視図で、図３は図１のＢ矢視図である。図４は主母線と分岐母線の接続関係を示す斜視図である。
【００１３】
図１〜４において、円筒状母線容器１はステンレスなどの金属で形成され、一端にフランジ２がボルト等により取付け固定され密閉されている。母線容器１の内部には絶縁ガスが封入されている。
【００１４】
母線容器１の上面には長手方向（軸方向）に沿って３つの垂直引出口３Ｒ、３Ｓ、３Ｔが穿設されている。垂直引出口３Ｒ、３Ｓ、３Ｔは母線容器１の長手方向の同一軸上に直線上に配設されている。垂直引出口３Ｒ、３Ｓ、３Ｔには垂直分岐管５Ｒ、５Ｓ、５Ｔが連接して固定されている。垂直分岐管５Ｒ、５Ｓ、５Ｔはフランジ部分でボルトによって母線容器１に固定される。なお、図１は母線容器１の一部を破断している関係上から垂直引出口３Ｒ、３Ｓ、３Ｔと垂直分岐管５Ｒ、５Ｓ、５Ｔを破線で示している。
【００１５】
母線容器１の垂直引出口３Ｒ、３Ｓ、３Ｔとほぼ９０°異なる水平面には長手方向に沿って３つの水平引出口４Ｒ、４Ｓ、４Ｔが穿設されている。水平引出口４Ｒ、４Ｓ、４Ｔは垂直引出口３Ｒ、３Ｓ、３Ｔと周方向の同一軸上（同一位置）に設けられている。また、水平引出口４Ｒ、４Ｓ、４Ｔは垂直引出口３Ｒ、３Ｓ、３Ｔと同様に母線容器１の長手方向の同一軸上に直線上に配設されている。
【００１６】
水平引出口４Ｒ、４Ｓ、４Ｔには水平分岐管６Ｒ、６Ｓ、６Ｔが連接して固定されている。水平分岐管６Ｒ、６Ｓ、６Ｔはフランジ部分でボルトによって母線容器１に固定される。なお、図３は母線容器１の一部を破断している関係上から水平引出口４Ｒ、４Ｓ、４Ｔと水平分岐管６Ｒ、６Ｓ、６Ｔを破線で示している。
【００１７】
母線容器１には相分離方式で３相主母線導体７Ｒ、７Ｓ、７Ｔが引込まれ、図２に示すように三角形（２等辺三角形）の頂点に位置するように絶縁スペーサで支持されている。母線容器１の軸方向（長手方向）の絶縁スペーサは図示を省略している。主母線導体７Ｒ、７Ｓ、７Ｔは主母線導体７Ｓと７Ｒおよび７Ｓと７Ｔの間の長さが等しい２等辺三角形の配置になっている。
【００１８】
主母線導体７Ｒと７Ｔで形成する三角形の一辺（底辺）は、図７に示すように水平引出口４とほぼ平行になるように主母線導体７Ｒ、７Ｔが配置されている。換言すると、主母線導体７Ｒ、７Ｔは垂直引出口３（垂直分岐管５）の垂直方向とほぼ同じ上下方向に配置されている。３相主母線導体７Ｒ、７Ｓ、７Ｔは上下方向でみると、図３に示すように主母線導体７Ｔが垂直引出口３に近い高い位置の三角形の頂点に配置され、主母線導体７Ｓ、主母線導体７Ｒの順に配置される。
【００１９】
三角形の最も高い位置（高位）の頂点に配置された主母線導体７Ｔは母線容器１に３相主母線導体７Ｒ、７Ｓ、７Ｔを引込んだ引込み位置から最短距離の位置に設けられた水平引出口３Ｔ（垂直引出口４Ｔ）の位置まで張設され、その先端位置から垂直分岐母線８Ｔと水平分岐母線９Ｔが引出される。
【００２０】
垂直分岐母線８Ｔは絶縁スペーサ１０Ｔで支持されて垂直分岐管５Ｔに引出され、また、水平分岐母線９Ｔは絶縁スペーサ１１Ｔで支持されて水平分岐管６Ｔに引出される。垂直分岐母線８Ｔは母線容器１の上方向に引出され、また、水平分岐母線９Ｔは水平方向に引出される。
【００２１】
三角形の真中の位置（中位）の頂点に配置された主母線７Ｓは母線容器１に設けられた水平引出口３Ｓ（垂直引出口４Ｓ）の位置で垂直分岐母線８Ｓと水平分岐母線９Ｓが引出される。垂直分岐母線８Ｓは絶縁スペーサ１０Ｓで支持されて垂直分岐管５Ｓに引出され、また、水平分岐母線９Ｓは絶縁スペーサ１１Ｓで支持されて水平分岐管６Ｓに引出される。
【００２２】
三角形の最下位位置（低位）の頂点に配置された主母線導体７Ｒは母線容器１に設けられた水平引出口３Ｒ（垂直引出口４Ｒ）の位置で垂直分岐母線８Ｒと水平分岐母線９Ｒが分岐して引出される。垂直分岐母線８Ｒは絶縁スペーサ１０Ｒで支持されて垂直分岐管５Ｒに引出され、また、水平分岐母線９Ｒは絶縁スペーサ１１Ｒで支持されて水平分岐管６Ｒに引出される。
【００２３】
このようにして３相主母線導体７を収納した１個の母線容器１から分岐母線８、９を２方向に引出すのであるが、図１のＤ点（垂直引出口３Ｔ）では図６に示すようにＴ相の主母線導体７Ｔに分岐母線８Ｔ、９Ｔが引出される。また、図１のＣ点（垂直引出口３Ｒ）では図５に示すように３相の主母線導体７Ｒ、７Ｓ、７Ｔから垂直分岐母線８Ｒ、８Ｓ、８Ｔと水平分岐母線９Ｒ、９Ｓ、９Ｔが引出されることになる。
【００２４】
このことを３相の主母線導体７Ｒ、７Ｓ、７Ｔについてみると、円筒状母線容器１の長手方向に沿って形成された３つの垂直引出口３（水平直引出口４）の１個（垂直引出口３Ｔ）までは３相母線導体７Ｒ、７Ｓ、７Ｔが張設され、２個（垂直引出口３Ｓ）までは２相主母線導体７Ｒ、７Ｓ、３個（垂直引出口３Ｒ）までは１相の主母線導体７Ｒが張設され、各相の主母線導体７Ｒ、７Ｓ、７Ｔの先端位置から分岐母線８、９を引出している。
【００２５】
このように円筒状母線容器の長手方向に沿って３つの垂直引出口とこの垂直引出口と周方向のほぼ同一軸位置に３つの水平引出口を形成し、３相の主母線導体が頂点に位置する三角形の一辺が水平引出口とほぼ平行になるように３相の主母線導体を配設して、垂直方向（上下方向）に高位の垂直引出口に近い相の主母線導体の順に３つの垂直引出口位置まで主母線導体を張設して、その先端位置から垂直引出口と水平引出口に分岐母線を引出すようにしている。
【００２６】
したがって、３相一括収納した各相母線の絶縁距離を確保した上で１個の母線容器から２方向に分岐母線を引出せるのでガス絶縁開閉装置をコンパクトにすることができる。
【００２７】
なお、上述の実施例は垂直方向は上方向に分岐母線を引出す例を示しているが、下方向に引出すことも同様に行えることは勿論のことである。
【００２８】
また、主母線の相配置は上述の実施例のような配置でなくてもよいことは明らかなことである。
【００２９】
【発明の効果】
本発明は円筒状母線容器の長手方向に沿って３つの垂直引出口とこの垂直引出口と周方向のほぼ同一軸位置に３つの水平引出口を形成し、３相の主母線が頂点に位置する三角形の一辺が水平引出口とほぼ平行になるように３相の主母線を配設して、垂直引出口に近い相の主母線から順に３つの垂直引出口位置まで主母線を張設して、その先端位置から垂直引出口と水平引出口に分岐母線を引出すようにしている。したがって、３相一括収納した各相母線の絶縁距離を確保した上で１個の母線容器から２方向に分岐母線を引出せるのでガス絶縁開閉装置をコンパクトにすることができる。
【図面の簡単な説明】
【図１】  本発明の一実施例を示す一部破断した上面観図である。
【図２】  図１のＡ矢視図である。
【図３】  図１のＢ矢視図である。
【図４】  主母線と分岐母線の接続関係を示す斜視図である。
【図５】  図１のＣ−Ｃ矢視図である。
【図６】  図１のＢ−Ｂ矢視図である。
【図７】  主母線の母線容器内配置説明図である。
【符号の説明】
１…母線容器、２…フランジ、３…垂直引出口、４…水平引出口、５…垂直分岐管、６…水平分岐管、７…主母線導体、Ｒ、Ｓ、Ｔ…３相、８…垂直分岐母線、９…水平分岐母線、１０、１１…絶縁スペーサ。
【図１】
0004048045.tif 000002
【図２】
0004048045.tif 000003
【図３】
0004048045.tif 000004
【図４】
0004048045.tif 000005
【図５】
0004048045.tif 000006
【図６】
0004048045.tif 000007
【図７】
0004048045.tif 000008